(57)【要約】【課題】金属音の発生を抑制し、緩衝材が取れにくい鍵機構を備える管楽器を提供すること。【解決手段】キー２１の連絡アーム２１５はくびれ状である抑制部２１８を有する。連絡アーム２１５のキー２４と対向する面は平面状に形成されており、軟物３１が貼られている。さらに、連絡アーム２１５の抑制部２１８および軟物３１は、熱収縮チューブ４１により被覆されている。連絡アーム２１５は軟物３１を備えているため、金属音の発生が軽減される。さらに、抑制部２１８が熱収縮チューブ４１の抜けを抑制するため、軟物３１の取れを抑制することができる。【選択図】図３
0003204535.tif 000002
【実用新案登録請求の範囲】
【請求項１】
管体と、
前記管体に設けられた音孔と、
前記音孔を開閉する、第１キーおよび第２キーと、を備え、
前記第１キーおよび第２キーは、前記管体に回転可能に支持される回転軸を有し、
前記第１キーは、前記第２キーを連動して回動させるための作用部を有し、
前記第２キーは、前記連動の際、前記作用部から力を受ける被作用部を有し、
前記作用部の前記被作用部と対向する面と、前記被作用部の前記作用部と対向する面との少なくとも何れか一方に設けられる緩衝材と、
前記緩衝材が設けられた前記作用部または前記被作用部とともに、前記緩衝材を被覆する熱収縮チューブと、を備え、
前記作用部もしくは前記被作用部は、前記熱収縮チューブの抜けを抑制するための抑制部を備えることを特徴とする管楽器。
【請求項２】
前記抑制部を備える、前記作用部もしくは前記被作用部は、一端が前記回転軸に固定され、前記回転軸から延伸した他端が開放された腕状部を備え、
前記抑制部は、前記腕状部において、
前記熱収縮チューブの被覆位置から前記他端までのうち、第１断面積を有する第１位置と、
前記第１位置より他端側にあって、前記第１断面積より大きい断面積を有する第２位置と、を有することを特徴とする請求項１に記載の管楽器。
【請求項３】
前記抑制部を備える、前記作用部もしくは前記被作用部は、一端が前記回転軸に固定され、前記回転軸から延伸した他端が開放された腕状部を備え、
前記抑制部は、前記腕状部のうち、熱収縮チューブの被覆位置から前記他端において、屈曲していることを特徴とする請求項１に記載の管楽器。
【考案の詳細な説明】
【技術分野】
【０００１】
本考案は、鍵機構を備える管楽器に関するものである。
【背景技術】
【０００２】
管楽器は、管本体に形成されている複数の音孔が鍵機構によって作動されるタンポ機構によって選択的に開閉制御されることにより所望の音高の音を発音するように構成されている。鍵機構は複数の鍵で構成されており、別の鍵の動作に連動して動作するための連絡部を備えている鍵がある。従来より、鍵および連絡部は金属で形成されており、連動の際、金属同士が接触することによる金属音を低減するために、鍵または連絡部の接触部には、緩衝材が備えられている。緩衝材としては、例えば、コルクなどの軟物、シリコンチューブなどが使用されている（非特許文献１）。非特許文献１では、シリコンチューブの上にさらに熱収縮チューブを被せ、熱収縮チューブを熱収縮させることにより、ビニールチューブを取れにくくしている。
【先行技術文献】
【非特許文献】
【０００３】
【非特許文献１】有限会社ミュージック・ソリューションズ、“中古楽器が店頭に並ぶまで  管楽器編”、［ｏｎｌｉｎｅ］、［平成２８年1月８日検索］インターネット＜https://www.tcgakki.com/fair/37_b.html＞
【考案の概要】
【考案が解決しようとする課題】
【０００４】
しかしながら、接触部にコルクを貼っただけであると、取れやすいという課題があった。また、非特許文献１に示す楽器では、熱収縮された熱収縮チューブを被せることにより、シリコンチューブが取れにくいものの、シリコンチューブおよび熱収縮チューブが被せられている鍵の形状がストレートであるため、シリコンチューブが取れるおそれがあった。
【０００５】
本願は、上記の課題に鑑み提案されたものであって、金属音の発生を抑制し、緩衝材が取れにくい鍵機構を備える管楽器を提供することを目的とする。
【課題を解決するための手段】
【０００６】
（１）本願に係る管楽器は、管体と、管体に設けられた音孔と、音孔を開閉する、第１キーおよび第２キーと、を備え、第１キーおよび第２キーは、管体に回転可能に支持される回転軸を有し、第１キーは、第２キーを連動して回動させるための作用部を有し、第２キーは、連動の際、作用部から力を受ける被作用部を有し、作用部の被作用部と対向する面と、被作用部の作用部と対向する面との少なくとも何れか一方に設けられる緩衝材と、緩衝材が設けられた作用部または被作用部とともに、緩衝材を被覆する熱収縮チューブと、を備え、作用部もしくは被作用部は、熱収縮チューブの抜けを抑制するための抑制部を備えることを特徴とする。
【０００７】
このようにすると、作用部と被作用部が連動する際の音が緩衝材により軽減される。また、熱収縮チューブにより緩衝材が保持され緩衝材のずれなどが抑えられ、さらに、抑制部が熱収縮チューブの抜けを抑制するため、緩衝材が取れにくい管楽器を提供することができる。
【０００８】
（２）抑制部を備える、作用部もしくは被作用部は、一端が回転軸に固定され、回転軸から延伸した他端が開放された腕状部を備え、抑制部は、腕状部において、熱収縮チューブの被覆位置から他端までのうち、第１断面積を有する第１位置と、第１位置より他端側にあって、第１断面積より大きい断面積を有する第２位置と、を有することを特徴とする。
【０００９】
このようにすると、第１位置と第２位置とを有する抑制部が熱収縮チューブの抜けを抑制するため、緩衝材が取れにくい管楽器を提供することができる。
【００１０】
（３）抑制部を備える、作用部もしくは被作用部は、一端が回転軸に固定され、回転軸から延伸した他端が開放された腕状部を備え、抑制部は、腕状部のうち、熱収縮チューブの被覆位置から他端において、屈曲していることを特徴とする。
【００１１】
このようにすると、屈曲している抑制部が熱収縮チューブの抜けを抑制するため、緩衝材が取れにくい管楽器を提供することができる。
【考案の効果】
【００１２】
本願に係る管楽器によれば、金属音の発生を抑制し、緩衝材が取れにくい鍵機構を備える管楽器を提供することができる。
【図面の簡単な説明】
【００１３】
【図１】第１実施形態に係るクラリネットの外観を示す正面図である。
【図２】熱収縮チューブが取り付けられる前のキーを示す斜視図である。
【図３】管体に取り付けられた状態のキーの底面図である。
【図４】第２実施形態に係るキーの斜視図である。
【図５】第３実施形態に係るキーの斜視図である。
【考案を実施するための形態】
【００１４】
＜第１実施形態＞
図１に示すように、第１実施形態に係るクラリネット１は管本体１Ａおよび鍵機構２０などを備える。管本体１Ａは、管状であり、マウスピース２、バレル３、上管４、下管５、およびベル６などのパーツで構成される。管本体１Ａは、例えば持ち運び際には、上記したパーツに分解され、演奏時に組み立てられる。鍵機構２０は管本体１Ａに形成されている音孔（後述）の開閉するための機構である。以下、クラリネット１の音孔を多数の有する面を正面として説明する。鍵機構２０は、複数のキーで構成されているが、図１では、実施形態に係わる、キー２１〜２５のみに符号を付している。また、クラリネット１は、複数の後述する分岐管、音孔、支柱を備えているが、図１では、キー２１に係わる分岐管、音孔、支柱にのみに符号を付している。
【００１５】
管本体１Ａは、外周面に複数の開口部が軸方向に並んで形成されている。開口部は管本体１Ａに形成された孔の外周に形成された分岐管１１により区画されている。分岐管１１は円筒状であり、管本体１Ａの径方向に所定の高さを有して形成されている。開口部と分岐管１１とを総称して音孔１３という。鍵機構２０は音孔１３を開閉するための機構であり、管本体１Ａの外周面に設けられている。
【００１６】
図２に示す、キー２１は金属製である、回転軸２１１、タンポ機構２１２、レバー２１４、アーム２１３、および連絡アーム２１５と、軟物３１などを有する。回転軸２１１は管本体１Ａに形成された支柱１２（図１）により回転可能に支持される。タンポ機構２１２は金属製であるタンポ皿２１２ａと、タンポ２１２ｂなどを有する。タンポ２１２ｂは例えば、皮革などから構成されており、接着剤などによりタンポ皿２１２ａに固定されている。タンポ皿２１２ａはアーム２１３を介して回転軸２１１に固定されている。また、連絡アーム２１５およびレバー２１４も回転軸２１１に固定されている。タンポ機構２１２は例えば不図示のばねなどにより、開方向に付勢されている。演奏者によりレバー２１４が操作されると、回転軸２１１が回動し、連動してタンポ機構２１２が音孔１３（図１）を塞ぐ。また、キー２４（図１）が操作されると、連絡アーム２１５を介してキー２１が連動するように構成されている。次に、連動する構成について、連絡アーム２１５の詳細とともに、図３を用いて、詳しく説明する。
【００１７】
連絡アーム２１５は、腕状の形状を有しており、回転軸２１１の径方向に延伸するように、一端は回転軸２１１に固定されており、他端は開放されている。連絡アーム２１５のキー２４と対向する面は平面状に形成されており、軟物３１が貼られている。さらに、連絡アーム２１５および軟物３１は、熱収縮チューブ４１により被覆されている。連絡アーム２１５はくびれ状である抑制部２１８を有する。抑制部２１８は、第１位置２１６および第１位置２１６より他端側にある第２位置２１７を含む。第２位置２１７の断面積は、第１位置２１６の断面積よりも大きい。熱収縮チューブ４１は、抑制部２１８の位置を含む位置に設けられている。これにより、熱収縮チューブ４１を抜けにくくすることができる。尚、軟物とは、例えば、コルク、合成コルク、フェルト、ウレタン、ゴム、シリコン、皮革などである。また、熱収縮チューブ４１は、キー２１が下管５に取り付ける前に、熱収縮される。
【００１８】
キー２４は、金属製の回転軸２４１、連絡アーム２４２、レバー２４３（図１）を有している。連絡アーム２４２は、キー２１と同様に、腕状の形状を有しており、回転軸２４１の径方向に延伸するように、一端は回転軸２４１に固定されており、他端は開放されている。レバー２４３は、一端が回転軸２４１に固定されており、他端が開放されている。また、レバー２４３の他端は、一端よりも幅広に形成されている。回転軸２４１は、回転軸２１１と同様に、支柱により下管５に回転可能に支持される。連絡アーム２４２は連絡部２４４を有する。連絡アーム２４２は底面視で、矩形状であり、連絡アーム２１５と接する図３左上の角が連絡部２４４である。演奏者によりレバー２４３が操作され、キー２４が図３において右回りに回動されると、連絡アーム２４２の連絡部２４４を介して、連絡アーム２１５に力が加えられ、キー２１は図３において左回りに回動される。詳しくは、回動に応じて、連絡部２４４は軟物３１との接触位置を図３において右方向へずらしつつ、連絡アーム２１５を上へ押し上げる。これにより、キー２１は回動し、タンポ機構２１２（図１）により音孔１３（図１）を塞がれる。
【００１９】
連絡アーム２１５および連絡アーム２４２は金属製である。このため、連絡アーム２１５と連絡アーム２４２とが直接接触する構成とすると、金属音が放出されてしまう。連絡アーム２１５は軟物３１を備えているため、金属音の発生が軽減される。また、接触部に軟物だけが貼られた構成の場合、即ち、軟物がむき出しの場合には、使用するうちに軟物がへたり、金属音を軽減させる効果が低下するおそれがある。また、軟物がへたると、軟物と連絡アーム２４２との間に摩擦が生じる、あるいは、連絡アーム２４２がへたった軟物に引っかかるなどする場合があった。このように、キー２１とキー２４との連動が滑らかでなくなると、演奏者はタッチが悪くなったと感じるおそれがあった。この点、キー２１は、熱収縮チューブ４１が軟物３１を覆うため、軟物３１のへたりが抑制される。キー２１とキー２４との滑らかな連動を維持することができる。また、接触部に軟物だけが貼られた構成の場合、クラリネット１を組み立てる際に、演奏者が軟物を別のキーあるいは指などで押してしまい、破損あるいは取ってしまうおそれがあった。この点、連絡アーム２１５は熱収縮チューブ４１が軟物３１を覆い、さらに、抑制部２１８が熱収縮チューブ４１の抜けを抑制するため、軟物３１の取れを抑制することができる。
【００２０】
また、熱収縮チューブ４１により、キー２１とキー２４との連動を滑らかにすることができる。上記したように、キー２１とキー２４との連動の際には、軟物３１の連絡部２４４と対向する面において、連絡部２４４が接触する位置は変化する。連絡部２４４と軟物３１とが摺動するよりも、連絡部２４４と熱収縮チューブ４１とが摺動する方が、摩擦が低減されるため、キー２１とキー２４との連動を滑らかにすることができる。
【００２１】
また、考案者らは、接触部に軟物を貼らずに熱収縮チューブだけを備える構成の場合、熱収縮チューブは加熱されると、例えば硬化することなどにより、金属音の発生を低減させる効果が低下することを見出した。連絡アーム２１５は、熱収縮チューブ４１とともに軟物３１を備えることにより、金属音の発生を抑制する効果を得る事ができる。
【００２２】
尚、従来の楽器には、上記した他に、軟物の上にフィルムを貼った構成を備えるものがある。しかしながら、この構成では、軟物が取れ易いという課題が残る。さらに、フィルムが貼られている分、フィルムが例えば他の物に引っ掛かるなどして、フィルムが軟物の取れを助長するおそれがあった。連絡アーム２１５は、抑制部２１８および熱収縮チューブ４１を備えることにより、軟物３１の取れを抑制することができる。
【００２３】
ここで、キー２４は第１キーの一例であり、キー２１は第２キーの一例である。連絡部２４４は作用部の一例であり、連絡アーム２１５は被作用部および腕状部の一例である。軟物３１は緩衝材の一例である。
【００２４】
上記した第１実施形態によれば、以下の効果を奏する。
キー２１とキー２４が連動する場合の音が軟物３１により軽減される。また、熱収縮チューブ４１により軟物３１が保持され緩衝材のずれなどが抑えられ、さらに、第１位置２１６と第２位置２１７とを有する抑制部２１８が熱収縮チューブ４１の抜けを抑制するため、軟物３１が取れにくいクラリネット１を提供することができる。
【００２５】
＜第２実施形態＞
次に第２実施形態に係るキー２２について説明する。図４に示す、キー２２は金属製である、回転軸２２１、タンポ機構２２２、リング２２３、アーム２２４、アーム２２５、連絡アーム２２６と、軟物３２、および熱収縮チューブ４２などを有する。回転軸２２１は管本体１Ａ（図１）に形成された支柱により回転可能に支持される。タンポ機構２２２は、タンポ機構２１２と同様に、金属製であるタンポ皿２２２ａと、タンポ２２２ｂなどを有する。タンポ皿２２２ａはアーム２２４を介して回転軸２２１に固定されている。リング２２３はアーム２２５を介して回転軸２２１に固定されている。
【００２６】
連絡アーム２２６は、連絡アーム２１５と同様に、腕状の形状を有しており、回転軸２２１の径方向に延伸するように、一端は回転軸２２１に固定されており、他端は開放されている。連絡アーム２２６の上管４側の面は曲面状に形成されており、軟物３２が貼られている。さらに、連絡アーム２２６および軟物３２は、熱収縮チューブ４２により被覆されている。連絡アーム２２６はくびれ状である抑制部２２９を有する。抑制部２２９は、第１位置２２７および第１位置２２７より他端側にある第２位置２２８を含む。第２位置２２８の断面積は、第１位置２２７の断面積よりも大きい。熱収縮チューブ４２は、抑制部２２９の位置を含む位置に設けられている。これにより、熱収縮チューブ４２を抜けにくくすることができる。尚、熱収縮チューブ４２は、上管４に取り付ける前に、熱収縮される。
【００２７】
上管４に取り付けられたキー２２は、リング２２３が操作されることにより、回動する。また、キー２１と同様に、別のキー（不図示）から連絡アーム２２６へ力が付与されることによっても、回動する。詳しくは、軟物３２が設けられている面に別のキーの連絡アームが接触しつつ、力を付与されて回動する。連絡アーム２２６は軟物３２を備えているため、作用する別のキーの連絡アームが接触する際の金属音の発生が軽減される。熱収縮チューブ４２が軟物３２を覆うため、軟物３２のへたりが抑制される。熱収縮チューブ４２により、キー２２と作用する別のキーとの連動を滑らかにすることができる。
【００２８】
ここで、キー２２に作用する別のキーは第１キーの一例であり、キー２２は第２キーの一例である。別のキーの連絡アームは作用部の一例であり、連絡アーム２２６は被作用部および腕状部の一例である。軟物３２は緩衝材の一例である。
【００２９】
上記した第２実施形態によれば、第１実施形態と同様に、以下の効果を奏する。
キー２２および作用する別のキーが連動する場合の音が軟物３２により軽減される。また、熱収縮チューブ４２により軟物３２のずれなどが抑えられ、さらに、第１位置２２７と第２位置２２８とを有する抑制部２２９が熱収縮チューブ４２の抜けを抑制するため、軟物３２が取れにくいクラリネット１を提供することができる。
【００３０】
＜第３実施形態＞
次に第３実施形態に係るキー２３について説明する。図５に示す、キー２３は金属製である、回転軸２３１、タンポ皿２３２ａ、リング２３２ｂ，２３２ｃ，２３２ｄ、アーム２３３ａ，２３３ｂ，２３３ｃ，２３３ｄ、連絡アーム２３４と、軟物３３，３４および熱収縮チューブ４３などを有する。回転軸２３１は管本体１Ａ（図１）に形成された支柱により回転可能に支持される。タンポ皿２３２ａ，リング２３２ｂ，２３２ｃ，２３２ｄは、夫々アーム２３３ａ，２３３ｂ，２３３ｃ，２３３ｄを介して回転軸２３１に固定されている。
【００３１】
下管５に取り付けられたキー２３は、リング２３２ｂ，２３２ｃ，２３２ｄの何れかが操作されることにより回動する。また、キー２５（図１）の回動と連動して回動する。次に詳述する。
【００３２】
連絡アーム２３４は腕状の形状を有しており、回転軸２３１から延伸するように、一端は回転軸２３１に固定されており、他端は開放されている。また、連絡アーム２３４は抑制部２３５を有している。連絡アーム２３４は一端から他端へ至るまでに屈曲しており、屈曲している部分が抑制部２３５である。連絡アーム２３４の他端は段差が形成されている。キー２５は連絡アーム（不図示）を有している。キー２５の連絡アームの端部には、連絡アーム２３４の段差と噛み合う連絡部が形成されている。これにより、組み立てられたクラリネット１において、キー２３の連絡アーム２３４とキー２５の連絡部とが噛み合い、キー２３とキー２５とが連動する。
【００３３】
連絡アーム２３４に形成されている段差には軟物３４が貼られている。また、連絡アーム２３４の下管５と対向する面は平面状に形成されており、軟物３３が貼られている。さらに、連絡アーム２３４および軟物３３，３４は、熱収縮チューブ４３により被覆されている。熱収縮チューブ４３は、抑制部２３５の位置を含む位置に設けられている。これにより、熱収縮チューブ４３を抜けにくくすることができる。連絡アーム２３４からキー２５へ力が付与されることによって、キー２５は回動する。詳しくは、キー２５の連絡アームに形成されている連絡部に、軟物３４が設けられている面が接触し、力を付与して、キー２５を回動させる。連絡アーム２３４は軟物３４を備えているため、作用するキー２５の連絡アームが接触する際の金属音の発生が軽減される。熱収縮チューブ４３が軟物３３，３４を覆うため、軟物３３，３４のへたりが抑制される。熱収縮チューブ４３により、キー２３とキー２５との連動を滑らかにすることができる。尚、熱収縮チューブ４３は、下管５に取り付ける前に、熱収縮される。
【００３４】
ここで、キー２３は第１キーの一例であり、キー２５は第２キーの一例である。連絡アーム２３４は作用部および腕状部の一例であり、キー２５の連絡アームに形成されている連絡部は被作用部の一例である。軟物３４は緩衝材の一例である。
【００３５】
上記した第３実施形態によれば、第１実施形態と同様に、以下の効果を奏する。
キー２３およびキー２５が連動する場合の音が軟物３４により軽減される。また、熱収縮チューブ４３により軟物３４のずれなどが抑えられ、さらに、抑制部２３５が熱収縮チューブ４３の抜けを抑制するため、軟物３３，３４が取れにくいクラリネット１を提供することができる。
【００３６】
尚、本考案は前記実施形態に限定されるものではなく、本考案の趣旨を逸脱しない範囲内での種々の改良、変更が可能であることは言うまでもない。
上記では、クラリネット１は、本願の構成を備えたキー２１〜２３を備えると説明したが、クラリネット１は少なくとも１つのキーが本願の構成を備えて構成されても良い。
【００３７】
抑制部は、上記に限定されず、例えば、回転軸から開放端へ向かって、次第に太くなる構成、熱収縮チューブが被覆されている位置から開放端の間に凸部を備えている構成であっても良い。
【００３８】
また、管楽器としてクラリネットを例示したが、この他に、例えばオーボエ、フルート、サクソフォン、ファゴットなどの木管楽器に適用することができる。
【符号の説明】
【００３９】
１      クラリネット
１Ａ      管本体
４      上管
５      下管
１３      音孔
２０      鍵機構
２１、２２、２３、２４、２５      キー
３１、３２、３３、３４      軟物
４１、４２、４３      熱収縮チューブ
２１１、２２１、２３１、２４１      回転軸
２１５、２２６、２３４、２４２      連絡アーム
２１６、２２７      第１位置
２１７、２２８      第２位置
２１８、２２９、２３５      抑制部
２４４      連絡部
【図１】
0003204535.tif 000003
【図２】
0003204535.tif 000004
【図３】
0003204535.tif 000005
【図４】
0003204535.tif 000006
【図５】
0003204535.tif 000007